(57)【特許請求の範囲】
【請求項１】
通信機本体に設けられた電池室に電池パックを収容するよう構成された無線通信機において、
前記電池パックに、そのケーシングから突出しない態様で該ケーシング内に配設された凹形状の第１コネクタブロックを設けるとともに、該第１コネクタブロック内に少なくとも２個所で臨む第１のコンタクトを設け、
前記通信機本体に、前記電池室内に突出するように植接された凸形状の第２のコネクタブロックを設けるとともに、該第２のコネクタブロックに沿って延びる弾性体からなる第２のコンタクトを設け、
前記第２のコネクタブロックを前記第１コネクタブロック内に嵌合させた際に、前記第２のコンタクトの弾性力により該第２のコンタクトを前記第１のコンタクトに少なくとも２箇所で同時に圧接接続するようにし、かつ、前記第２のコネクタブロックと前記第１のコネクタブロックとの間に所定のクリアランスが形成されるようにしたことを特徴とする無線通信機。
【請求項２】
通信機本体に設けられた電池室に収容するよう構成された電池パックにおいて、
ケーシングから突出しない態様で該ケーシング内に配設された凹形状の第１コネクタブロックを設けるとともに、該第１コネクタブロック内に少なくとも２個所で臨む第１のコンタクトを設け、
前記通信機本体に、前記電池室内に突出するように植接された凸形状の第２のコネクタブロックを設けるとともに、該第２のコネクタブロックに沿って延びる弾性体からなる第２のコンタクトを設け、
前記第２のコネクタブロックを前記第１コネクタブロック内に嵌合させた際に、前記第２のコンタクトの弾性力により該第２のコンタクトを前記第１のコンタクトに少なくとも２箇所で同時に圧接接続するようにし、かつ、前記第２のコネクタブロックと前記第１のコネクタブロックとの間に所定のクリアランスが形成されるようにしたことを特徴とする電池パック。
【請求項３】
通信機本体の電池室に収容される電池パックと前記通信機本体とを電気的に接続するコネクタにおいて、
前記電池パックのケーシングから突出しない態様で該ケーシング内に配設された凹形状の第１コネクタブロックを有するとともに、前記第１コネクタブロック内に少なくとも２個所で臨む第１のコンタクトを有する雌側コネクタ部と、
前記通信機本体に前記電池室内に突出するように植接された凸形状の第２のコネクタブロックを有するとともに、該第２のコネクタブロックに沿って延び、前記第１のコンタクトの配設位置に対応して配設された弾性体からなる第２のコンタクトを有する雄側コネクタ部と
を具備し、前記雄側コネクタ部の第２のコネクタブロックを前記雌側コネクタ部の第１コネクタブロック内に嵌合させた際に、前記第２のコンタクトの弾性力により該第２のコンタクトを前記第１のコンタクトに少なくとも２箇所で同時に圧接するようにし、かつ、前記第２のコネクタブロックと前記第１のコネクタブロックとの間に所定のクリアランスが形成されるようにしたことを特徴とするコネクタ。
【発明の詳細な説明】
【０００１】
【発明の属する技術分野】
本発明は、無線通信機および電池パックおよびコネクタに関し、詳しくは通信機本体と電池パックとの電気的な接続の構造に関する。
【０００２】
【従来の技術】
図７から図９に示す如く、電話機本体Ｂに電池パックＣを装着して成る携帯電話機（無線通信機）Ａでは、電話機本体Ｂと電池パックＣとを電気的に接続させる構成として、電話機本体Ｂに設けたスプリングピンｂ，ｂと、電池パックＣに設けた端子ｃ，ｃとを、互いに面接触させる構成が主流となっている。
【０００３】
【発明が解決しようとする課題】
ところで、スプリングピンｂと端子ｃとを面接触させる構成では、電話機本体Ｂに電池パックＣを装着した状態において、スプリングピンｂと端子ｃとの接触部分の位置精度を出しているため、電話機本体Ｂや電池パックＣに衝撃が加わった場合には、瞬間的にスプリングピンｂと端子ｃとが離隔して電気的接続が断たれる、いわゆる瞬断を発生する不都合があった。
【０００４】
一方、図１０に示すパーソナルハンディーホン（ＰＨＳ）Ｈは、本体Ｉと蓋体Ｊと電池パックＫとを具備し、電池パックＫにハーネスｈを介して設けられたコネクタｋを、本体Ｉに設けたコネクタｉに嵌合させることによって、本体Ｉと電池パックＫとを電気的に接続しており、このような構成では上述の如き瞬断が発生することはない。
【０００５】
そこで、上述したパーソナルハンディーホンＨにおける本体Ｉと電池パックＫとの接続構造を、携帯電話機における電話機本体と電池パックとの接続構造に適用することが考えられる。
【０００６】
しかしながら、例えばデジタル携帯電話機では、連続通話時間が１２０分前後であるため、ビジネスユースでの使用を考えた場合、電池パックを度々交換する必要に迫られることになるが、パーソナルハンディーホンＨのコネクタｉ，ｋは頻繁に着脱される環境を想定しておらず、着脱耐久回数が３０回程度しかないため、耐久性の点で携帯電話機における接続構造に採用することはできない。
【０００７】
また、上述したパーソナルハンディーホンＨでは、電池パックＫから延びるハーネスｈにコネクタｋが取付けられているため、本体Ｉのコネクタｉとの着脱作業が繁雑となるばかりでなく、電池パックＫの持ち運びに際してハーネスｈを不用意に傷つけて断線させてしまう虞れがある。
【０００８】
また、特願平１１−１３２５４３号のように、フローティング式コネクタを電池パックおよび携帯電話機本体に設けた構成も提案されているが、この構成の場合は、接点が一箇所であるため、振動が生じた場合は電気的接続の瞬断が生じる虞がある。
【０００９】
本発明は上記実状に鑑みて、耐久性や作業性の低下を招来することなく、通信機本体と電池パックとの電気的接続の瞬断を確実に防止し得る無線通信機および電池パックおよびコネクタの提供を目的とするものである。
【課題を解決するための手段】
上記目的を達成するべく、本発明は、通信機本体に設けられた電池室に電池パックを収容するよう構成された無線通信機において、前記電池パックに、そのケーシングから突出しない態様で該ケーシング内に配設された凹形状の第１コネクタブロックを設けるとともに、該第１コネクタブロック内に少なくとも２個所で臨む第１のコンタクトを設け、前記通信機本体に、前記電池室内に突出するように植接された凸形状の第２のコネクタブロックを設けるとともに、該第２のコネクタブロックに沿って延びる弾性体からなる第２のコンタクトを設け、前記第２のコネクタブロックを前記第１コネクタブロック内に嵌合させた際に、前記第２のコンタクトの弾性力により該第２のコンタクトを前記第１のコンタクトに少なくとも２箇所で同時に圧接接続するようにし、かつ、前記第２のコネクタブロックと前記第１のコネクタブロックとの間に所定のクリアランスが形成されるようにしたことを特徴とする。
【００１０】
また、本発明は、通信機本体に設けられた電池室に収容するよう構成された電池パックにおいて、ケーシングから突出しない態様で該ケーシング内に配設された凹形状の第１コネクタブロックを設けるとともに、該第１コネクタブロック内に少なくとも２個所で臨む第１のコンタクトを設け、前記通信機本体に、前記電池室内に突出するように植接された凸形状の第２のコネクタブロックを設けるとともに、該第２のコネクタブロックに沿って延びる弾性体からなる第２のコンタクトを設け、前記第２のコネクタブロックを前記第１コネクタブロック内に嵌合させた際に、前記第２のコンタクトの弾性力により該第２のコンタクトを前記第１のコンタクトに少なくとも２箇所で同時に圧接接続するようにし、かつ、前記第２のコネクタブロックと前記第１のコネクタブロックとの間に所定のクリアランスが形成されるようにしたことを特徴とする。
【００１１】
また、本発明は、通信機本体の電池室に収容される電池パックと前記通信機本体とを電気的に接続するコネクタにおいて、前記電池パックのケーシングから突出しない態様で該ケーシング内に配設された凹形状の第１コネクタブロックを有するとともに、前記第１コネクタブロック内に少なくとも２個所で臨む第１のコンタクトを有する雌側コネクタ部と、前記通信機本体に前記電池室内に突出するように植接された凸形状の第２のコネクタブロックを有するとともに、該第２のコネクタブロックに沿って延び、前記第１のコンタクトの配設位置に対応して配設された弾性体からなる第２のコンタクトを有する雄側コネクタ部とを具備し、前記雄側コネクタ部の第２のコネクタブロックを前記雌側コネクタ部の第１コネクタブロック内に嵌合させた際に、前記第２のコンタクトの弾性力により該第２のコンタクトを前記第１のコンタクトに少なくとも２箇所で同時に圧接するようにし、かつ、前記第２のコネクタブロックと前記第１のコネクタブロックとの間に所定のクリアランスが形成されるようにしたことを特徴とする。
【００１２】
【発明の実施の形態】
以下、一実施例を示す図面に基づいて、本発明を詳細に説明する。
図１から図５は、本発明を適用した無線通信機としての携帯電話機１を示しており、この携帯電話機１は、図１および図２に示す如く、電話機本体（通信機本体）２と、蓋体３と、電池パック１０とを具備している。
【００１３】
上記電話機本体２は、正面側（図２中の右方側）に図示していない操作ボタン等が設けられている一方、背面側（図２中の左方側）には、電池収容凹部２Ａが形成されており、この電池収容凹部２Ａを覆う態様で電話機本体２に蓋体３が装着されることによって電池室４が画成され、この電池室４に電池パック１０が収容設置されている。
【００１４】
また、電話機本体３には、該電話機本体３と電池パック１０とを電気的に接続させるための、後述するフローティング式コネクタ２０を構成する雄側コネクタ２１が、電池収容凹部２Ａに突出する態様で回路基板２Ｂに固設されている。
【００１５】
一方、電池パック１０は、ケーシング１１の内部に電池セル１２を収容しており、さらに電池パック１０には、フローティング式コネクタ２０を構成する雌側コネクタ２２が、ケーシング１１から突出することのない態様で該ケーシング１１の内部に固設されている。
【００１６】
ここで、図３から図５に示す如く、フローティング式コネクタ２０の雄側コネクタ２１は、凸部２１ａを有するコネクタブロック（第２のコネクタブロック）２１Ａと、凸部２１ａに沿って延びるカンチレバー型のコンタクト（第２のコンタクト）２１Ｂ，２１Ｂ，２１Ｂとを有しており、コネクタブロック２１Ａの凸部２１ａを、電話機本体２の背面側（図３，４中の上方側）に突出させる態様で設置されている。
【００１７】
一方、フローティング式コネクタ２０の雌側コネクタ２２は、凹部２２ａを有するコネクタブロック（第１のコネクタブロック）２２Ａと、凹部２２ａの２つの面に臨んで設置されたコンタクト（第２のコンタクト）２２Ｂ，２２Ｂ，２２Ｂとを有しており、コネクタブロック２２Ａの凹部２２ａを、電話機本体２に設けられた雄側コネクタ２１の凸部２１ａに臨ませる態様で設置されている。
【００１８】
上記構成の携帯電話機１では、蓋体３を取り外した電話機本体２に対して、雄側コネクタ２１と雌側コネクタ２２とを互いに嵌合させつつ、電話機本体２の背面側から電池収容凹部２Ａに電池パック１０を収容し、こののち電話機本体２に蓋体３を取付けることで、電池パック１０の装着作業が完了する。
【００１９】
ここで、フローティング式コネクタ２０における、雄側コネクタ２１と雌側コネクタ２２とが互いに嵌合している状態では、図３および図５に示す如く、雄側コネクタ２１のコンタクト２１Ｂが、自身の弾性力によって雌側コネクタ２２のコンタクト２２Ｂと２つの面で圧接することで、電話機本体２と電池パック１０とが電気的に接続されることとなる。
【００２０】
また、上記フローティング式コネクタ２０は、雄側コネクタ２１と雌側コネクタ２２とが嵌合している状態において、雄側コネクタ２１におけるコネクタブロック２１Ａの凸部２１ａと、雌側コネクタ２２におけるコネクタブロック２２Ａの凹部２２ａとの間にクリアランスが形成され、極く僅か（±0.5 mm程度）ではあるものの、雄側コネクタ２１と雌側コネクタ２２とは前後、左右、上下の３方向に相対移動し得るよう構成され、かつ雄側コネクタ２１のコンタクト２１Ｂが雌側コネクタ２２のコンタクト２２Ｂと２箇所で常に当接するよう構成されている。
【００２１】
このため、上述した如き構成の携帯電話機１では、外部から振動が加わった場合、電話機本体２と電池パック１０との相対移動が、フローティング式コネクタ２０において吸収されるため、振動に起因する電話機本体２と電池パック１０との電気的接続の瞬断が未然に防止されることとなる。
【００２２】
すなわち、図３において、振動等に起因して電池パック１０が図３中の左右方向に移動したとしても、雄側コネクタ２１のコンタクト２１Ｂは雌側コネクタ２２のコンタクト２２Ｂとコンタクト２１Ｂの弾性力により常に２箇所で当接しているので、電話機本体２と電池パック１０との電気的接続の瞬断が生じることはない。
【００２３】
また、電池パック１０が図３中の上下方向に移動した場合も、雄側コネクタ２１のコンタクト２１Ｂは雌側コネクタ２２のコンタクト２２Ｂとコンタクト２１Ｂの弾性力により当接しているので、電話機本体２と電池パック１０との電気的接続の瞬断が生じることはない。
【００２４】
また、上述した構成の携帯電話機１では、パーソナルハンディーホンに用いられているコネクタに比べ、遙かに耐久性の良好なフローティング式コネクタ２０を用いて、電話機本体２と電池パック１０とを電気的に接続しているので、電池パック１０を頻繁に交換するような使用態様であっても、フローティング式コネクタ２０の耐久性が問題となることはない。
【００２５】
また、上述した構成の携帯電話機１では、電池パック１０のケーシング１１に雌コネクタ２２を固設しているので、電池パックにハーネスを介してコネクタを取付けた従来の構成に比べ、雄コネクタ２１と雌コネクタ２２との着脱作業、すなわち電話機本体２に対する電池パック１０の着脱作業が容易なものとなる。
【００２６】
また、上述した構成の携帯電話機１では、電池パック１０のケーシング１１から雌側コネクタが２２が突出していないため、電池パック１０の持ち運びが容易であるばかりでなく、電池セル１２と雌側コネクタ２２とを接続する配線が不用意に断線する不都合を未然に防止できる。
さらに、上述した構成の携帯電話機１では、電話機本体２と共に外観を構成する蓋体３が、電池パック１０と別体から構成されているため、外観のカラーバリエーション等、デザイン上に相違がある場合でも、電池パック１０の仕様を変更する必要がなく、したがって電池パック１０の標準化が可能である。
【００２７】
なお、携帯電話機本体と、電池パックの接続態様に関しては、上記実施例の他に図６に示すように、携帯電話機本体２００の端面から電池パック１００を挿入できるように、端面に電池収容凹部につながる開口２０４を設ける。
【００２８】
電池収容凹部には、１つめの実施例で用いたフローティングコネクタの雄側コネクタと同じものとして２１０を設けておく。一方、雌側コネクタ２１０と接続される雌側コネクタ１２０を電池パック１００の図示する端面に設ける。
こうすることで、電池パック１００を携帯電話機本体２００に対して、図示する方向に挿入することで、フローティング式コネクタの雄２１０と雌１２０がはまりあう。この状態で、蓋３００を携帯電話機本体２００の開口２０４をふさぐように本体２００に装着するようにすることで、電池パックを携帯電話機本体から離れないようにしながら、フローティングコネクタを介して、電池パックが携帯電話機本体に電気的に接続させることができる。
なお、上述した実施例においては携帯電話機を例示したが、本発明は携帯電話機のみならず、各種の無線通信機に対しても有効に適用し得るものであることは言うまでもない。
【００２９】
【発明の効果】
以上、詳述した如く、本発明では電池パックに、そのケーシングから突出しない態様で該ケーシング内に配設された凹形状の第１コネクタブロックを設けるとともに、該第１コネクタブロック内に少なくとも２個所で臨む第１のコンタクトを設け、通信機本体に、電池室内に突出するように植接された凸形状の第２のコネクタブロックを設けるとともに、該第２のコネクタブロックに沿って延びる弾性体からなる第２のコンタクトを設け、第２のコネクタブロックを第１コネクタブロック内に勘合させた際に、前記第２のコンタクトの弾性力により該第２のコンタクトを前記第１のコンタクトに少なくとも２箇所で同時に圧接接続するようにし、かつ、第２のコネクタブロックと第１のコネクタブロックとの間に所定のクリアランスが形成されるように構成したので、外部から振動が加わった場合、通信機本体と電池パックとの相対移動が、フローティング式コネクタにおいて吸収されるため、通信機本体と電池パックとの電気的接続の瞬断を確実に防止することができる。
また、従来の例えばＰＨＳに用いられていたコネクタに比べ、遙かに耐久性の良好なフローティング式コネクタを用いたことにより、電池パックを頻繁に交換するような使用態様であっても、フローティング式コネクタの耐久性が問題となることはない。
さらに、電池パックに他方のコネクタを固設しているので、電池パックにハーネスを介してコネクタを取付けた従来の構成に比べ、コネクタ相互の着脱作業、すなわち通信機本体に対する電池パックの着脱作業が容易なものとなる。
したがって、本発明に関わるコネクタによれば、耐久性や作業性の低下を招くことなく、通信機本体と電池パックとの電気的接続の瞬断を確実に防止することが可能となる。
【図面の簡単な説明】
【図１】本発明に関わる無線通信機（携帯電話機）を示す分解斜視図。
【図２】本発明に関わる無線通信機を示す断面側面図。
【図３】本発明に関わる無線通信機のフローティング式コネクタを示す要部断面図。
【図４】本発明に関わる無線通信機のフローティング式コネクタを示す要部断面図。
【図５】図３の V−V 線断面図。
【図６】本発明に関わる無線通信機の他のフローティング式コネクタを備える無線通信機を示す分解斜視図。
【図７】従来の無線通信機を示す外観斜視図。
【図８】従来の無線通信機における通信機本体と電池パックとを示す外観図。
【図９】従来の無線通信機におけるスプリングピンと端子とを示す要部断面図。
【図１０】従来の他の無線通信機を示す分解斜視図。
【符号の説明】
１…携帯電話機（無線通信機）
２…電話機本体（通信機本体）
３…蓋体
４…電池室
１０…電池パック
１１…ケーシング
２０…フローティング式コネクタ
２１…雄側コネクタ
２２…雌側コネクタ
【図１】
0003763703.tif 000002
【図２】
0003763703.tif 000003
【図３】
0003763703.tif 000004
【図４】
0003763703.tif 000005
【図５】
0003763703.tif 000006
【図６】
0003763703.tif 000007
【図７】
0003763703.tif 000008
【図８】
0003763703.tif 000009
【図９】
0003763703.tif 000010
【図１０】
0003763703.tif 000011